(57)【要約】【課題】温室内の温度、湿度および炭酸ガス濃度を作物の育成に必要なレベルで調整可能な温室の空調システムを提供すること。【解決手段】温室２内の上部から温室下の地中に埋設された第１地中管１３を経由して温室外に至る第１空気流路Ａと、温室外から温室下の地中に埋設された第２地中管１８を経由して温室内に至る第２空気流路Ｂと、温室内から第１地中管を経由して温室内に戻る第３空気流路Ｃと、を形成可能な配管類３と、前記空気流路に空気を流すための送風機８，９と、温室内の温度を検出する温度センサ４と、流路制御手段１１と、を備える。流路制御手段１１は、温室内の温度が２５℃以上のとき、第１〜第３空気流路のうち、第１および第２空気流路Ａ，Ｂのみに空気を流し、温室内の温度が１０℃以下のとき、第１〜第３空気流路のうち、第３空気流路Ｃのみに空気を流す。【選択図】図４
2015142513.tif 000002
【特許請求の範囲】
【請求項１】
温室内の上部から温室下の地中に埋設された第１地中管を経由して温室外に至る第１空気流路と、温室外から温室下の地中に埋設された第２地中管を経由して温室内に至る第２空気流路と、温室内から前記第１地中管を経由して温室内に戻る第３空気流路と、を形成可能な配管類と、
前記空気流路に空気を流すための送風機と、
温室内の所定位置の温度を検出する温度センサと、
前記温度センサにより検出される温度が所定の第１温度以上のとき、第１〜第３空気流路のうち、第１および第２空気流路のみに空気を流し、前記温度センサにより検出される温度が前記第１温度より低温である所定の第２温度以下のとき、第１〜第３空気流路のうち、第３空気流路のみに空気を流す流路制御手段と、
を備えることを特徴とする温室の空調システム。
【請求項２】
請求項１に記載の温室の空調システムにおいて、
前記流路制御手段は、前記温度センサにより検出される温度が前記第２温度より高く、前記第１温度より低いとき、第１〜第３空気流路の何れにも空気を流さないように制御することを特徴とする温室の空調システム。
【請求項３】
請求項１又は２に記載の温室の空調システムにおいて、
第２流路および第３流路の温室内に配置された部分は、地面に平行に配置された配管で構成され、配管内の空気を排気する排気孔が配管下部に複数形成されたものであることを特徴とする温室の空調システム。
【請求項４】
請求項１〜３の何れか１項に記載の温室の空調システムにおいて、
第１地中管より低い位置に埋設され、当該第１地中管に接続された水滴回収容器をさらに備えることを特徴とする温室の空調システム。
【発明の詳細な説明】
【技術分野】
【０００１】
本発明は、温室の空調システムに関する。
【背景技術】
【０００２】
一般的に、施設園芸ハウスの暖房用燃料は石油等を使用するケースが多く、昨今の原油価格の高騰で施設園芸農家の経営は圧迫されつつある。特にトマトやピーマン、バラといった栽培温度の高い作物を生産している施設園芸農家では、消費する石油量も多く、燃料費の高騰に苦しんでいる。一方、地球温暖化対策の観点から、温室効果ガス削減は喫緊の課題であり、ハウス栽培を行う施設園芸農家においても対応が求められてきている。
【０００３】
施設園芸ハウス等の温室に費やす燃料費を低減するため、種々の研究がなされている。例えば、非特許文献１に記載されている温室施設は、多数の塩ビ管を温室下の地中４００ｍｍ〜５００ｍｍに埋設し、空気循環ファンにより、その塩ビ管内に温室内の空気を循環させる。昼間、温室内の気温が２６℃以上になると、空気循環ファンを作動させ、温室内の暖かい空気を塩ビ管に通過させることで地中に熱エネルギーを蓄積する。温室内の温度が８℃超２６℃未満のときは、上記空気循環ファンを停止し、夜間温室内の温度が８℃以下になると、空気循環ファンを作動させ、温室内の冷たい空気を塩ビ管に循環させることで、地中に蓄積された熱エネルギーを温室内に還元し、温室内の気温低下を抑制する。
【０００４】
また例えば、特許文献１に記載されている温室施設は、温室上部の暖まった空気を地中に埋設したパイプに送って、当該パイプに設けられた多数のノズルから噴出させ、地温を上昇させるようにしている。
【先行技術文献】
【非特許文献】
【０００５】
【非特許文献１】徳島県立農業試験場試験研究報告  第２０号  １９８２年  地中熱交換暖房方式による施設野菜栽培の実用化に関する研究（第１報）
【特許文献】
【０００６】
【特許文献１】特公昭４８−３４８５８号公報
【発明の概要】
【発明が解決しようとする課題】
【０００７】
ところが、非特許文献１では、上記温室施設の実用化が実証されている旨が謳われているにもかかわらず、未だ普及していない。その理由としては、温室内の温度、湿度および炭酸ガス濃度といった作物にとって重要な要素が育成に必要なレベルで調整でないからであると考えられる。
【０００８】
また、特許文献１の温室施設は、単に温室上部の暖まった空気を地中に埋設したパイプに送って地中で噴出させるだけのものであるため、非特許文献１の温室施設と同様の課題があると考えられる。
【０００９】
本発明は、温室内の温度、湿度および炭酸ガス濃度といった作物にとって重要な要素が作物の育成に必要なレベルで調整可能な温室の空調システムを提供することを目的とする。
【課題を解決するための手段】
【００１０】
本発明に係る温室の空調システムは、温室内の上部から温室下の地中に埋設された第１地中管を経由して温室外に至る第１空気流路と、温室外から温室下の地中に埋設された第２地中管を経由して温室内に至る第２空気流路と、温室内から前記第１地中管を経由して温室内に戻る第３空気流路と、を形成可能な配管類と、前記空気流路に空気を流すための送風機と、温室内の所定位置の温度を検出する温度センサと、流路制御手段と、を備え、前記流路制御手段は、前記温度センサにより検出される温度が所定の第１温度以上のとき、第１〜第３空気流路のうち、第１および第２空気流路のみに空気を流し、前記温度センサにより検出される温度が前記第１温度より低温である所定の第２温度以下のとき、第１〜第３空気流路のうち、第３空気流路のみに空気を流すものであることを特徴としている。
【００１１】
かかる構成を備える温室の空調システムによれば、冬季の比較的気温の高い時間帯（日中）において、温室内の温度が第１温度（例えば２５℃）以上のとき、第１〜第３空気流路のうち、第１空気流路および第２空気流路のみが形成される。第１空気流路により、温室内の上部の暖かい空気が温室下の地中に埋設された第１地中管を経由して温室外に排気されるので、第１地中管および地中に熱エネルギーが蓄積される。また、第２空気流路により、温室外から温室下の地中に埋設された第２地中管を経由して温室内に外気が導入されるため、日中、作物が光合成する際に排出する水蒸気で、温室内の湿度が過剰に高くなることが防止される。また、第２空気流路によれば、外気が地中を経由して温室内に導入されることから、冬季の冷たい外気が地中を経由することで暖められ、外気導入による温室内の温度低下が抑制される。一方、冬季の比較的気温の低い時間帯（夜間）において、温室内の温度が第２温度以下になると、第１〜第３空気流路のうち、第３空気流路のみが形成される。第３空気流路によれば、温室内の空気が温室下の地中に埋設された第１地中管を通過して温室内に還流するが、第１地中管およびその近傍の地中には、日中、熱エネルギーが蓄積されているため、温室内の空気は、第１地中管を通過する際に暖められて温室内に還流する。このため、温室内の温度低下が抑制される。また、第３空気流路によれば、温室内の空気と外気との入れ替えが行われないことから、夜間、作物が排出する炭酸ガスを温室内に蓄積することができる。これにより、日中著しく低下する温室内の炭酸ガス濃度を補うことが期待できる。
【００１２】
上記温室の空調システムにおいては、前記流路制御手段は、前記温度センサにより検出される温度が前記第２温度より高く、前記第１温度より低いとき、第１〜第３空気流路の何れにも空気を流さないように制御するものであることが望ましい。
【００１３】
上記温室の空調システムにおいては、第２流路および第３流路の温室内に配置された部分は、地面に平行に配置された配管で構成され、配管内の空気を排気する排気孔が配管下部に複数形成されたものであることが望ましい。
【００１４】
上記温室の空調システムにおいては、第１地中管より低い位置に埋設され、当該第１地中管に接続された水滴回収容器をさらに備えるものであることが望ましい。
【発明の効果】
【００１５】
本発明によれば、温室内の温度、湿度および炭酸ガス濃度といった作物にとって重要な要素を育成に必要なレベルで調整できるようになることが期待できる。
【図面の簡単な説明】
【００１６】
【図１】本発明の実施の形態に係る温室の空調システムを示す概略図である。
【図２】第１地中管、第２地中管、屋内吹出管等の設置高さの位置関係を示す図である。（ａ）は上下連通管２７との接続関係を表し、（ｂ）は上下連通管２６との接続関係を表している。
【図３】本発明の実施の形態に係る温室の空調システムを示す概略図であって、第２空気流路が形成されている状態を示す図である。
【図４】本発明の実施の形態に係る温室の空調システムを示す概略図であって、第１および第２空気流路が形成されている状態を示す図である。
【図５】本発明の実施の形態に係る温室の空調システムを示す概略図であって、第２空気流路が形成されている状態を示す図である。
【図６】本発明の実施の形態に係る温室の空調システムを示す概略図であって、空気の流れが停止している状態を示す図である。
【図７】本発明の実施の形態に係る温室の空調システムを示す概略図であって、第３空気流路が形成されている状態を示す図である。
【図８】本発明の実施の形態に係る温室の空調システムを示す概略図であって、春夏モードにより、第２空気流路が形成されている状態を示す図である。
【図９】第１送風機の動作状態を説明するためのフローチャートである。
【図１０】第２送風機の動作状態を説明するためのフローチャートである。
【図１１】切替弁の切替状態を説明するためのフローチャートである。
【発明を実施するための形態】
【００１７】
以下、本発明の実施形態について図面を参照しつつ説明する。図１および図２に示すように、本発明の実施の形態に係る温室の空調システム１は、温室２、配管類３、温度センサ４、切替弁６，７、送風機８，９、水滴回収容器１０、制御装置１１等を備えている。
【００１８】
温室２は、例えば、内部の温度を一定に保ちやすいように構築されたガラスやビニル張りの建物からなる。
【００１９】
配管類３は、上部空気導入管１２、第１地中管１３、第１排気管１４、屋内吹出管１６、外部空気導入管１７、第２地中管１８、第２排気管１９、その他の配管で構成されている。この配管類３には、例えば、硬質ポリ塩化ビニル管（例えば、ＪＩＳ  Ｋ  ６７４１  ＶＵ相当品）を使用することができる。
【００２０】
上部空気導入管１２は、温室２内の上部（温室の全高の１／２よりも上側）から温室下の地中に亘って立設されている。上部空気導入管１２の途中には送風機８（以下「第１の送風機８」ともいう。）が設けられている。上部空気導入管１２は、送風機８の運転により温室２内で比較的高温な空気を上端の吸引口１２ａから吸引して、後述する第１地中管１３に導入する。なお、吸引口１２ａは、可能であれば、温室内の気温が最も高くなる温室内最上部にあることが望ましい。
【００２１】
第１地中管１３は、略水平状態で、温室下の地中に複数埋設されている。各第１地中管１３は互いに平行に埋設されており、複数の第１地中管１３の上流端部に、直角方向に延在する上流側連通管２１が接続している。この連通管２１には、上部空気導入管１２の下流端も接続している。また、複数の第１地中管１３の下流端部近傍に、直角に延在する下流側連通管２２が接続している。この連通管２２には、後述する第１排気管１４が接続されている。本実施形態では、第１地中管１３には、直径約１００ｍｍの管が使用され、図２に示すように、その埋設深さ（地面から管の最上部までの距離）は、５００ｍｍとなっている。また、８本の第１地中管１３は温室下に均等に並設されている。
【００２２】
第１排気管１４は、その下流端部が温室外の地面５上に露出している。これにより、第１地中管１３に導入された空気は、下流側連通管２２、第１排気管１４を通じて温室２外へ排気可能となっている。
【００２３】
屋内吹出管１６は、温室２の長手方向に沿って略水平（地面に平行に）に温室２内に複数配置されている。屋内吹出管１６の上流端部および上流端部近傍には、それぞれ直角方向に延在する屋内連通管２３，２４に接続している。連通管２４には、前記下流側連結管２２と連通させる上下連通管２７が接続され、連通管２３には、後記下流側連通管２９と連通させる上下連通管２６が接続されている。また、屋内吹出管１６には、管内の空気を温室２に排気する排気孔１６ａが下部に所定間隔をおいて複数形成されている。本実施形態では、屋内吹出管１６の設置高さ位置（地面から管の最下部までの距離）は、図２に示すように、２００ｍｍとなっており、温室２の全幅８ｍに対して、４本の屋内吹出管１６が均等に並設されている。
【００２４】
第１切替弁６は、電磁弁等で構成され、制御装置１１の命令にしたがって、第１地中管１３と第１排気管１４を連通する排気位置、又は、第１地中管１３と上下連通管２７とを連通する内気循環位置の何れかに弁体の位置を切替えることができる。第１切替弁６の弁体が排気位置にあるとき、図４に示すように、温室２内の上部から温室２下の地中を経由して温室２外に至る空気流路Ａ（以下「第１空気流路Ａ」ともいう。）が形成される。また、図７に示すように、第１切替弁６の弁体が内気循環位置にあるとき、温室２内から温室２下の地中を経由して温室２内に戻る空気流路Ｃ（以下「第３空気流路Ｃ」ともいう。）が形成される。
【００２５】
外部空気導入管１７は、温室２外から温室下の地中に亘って立設されている。外部空気導入管１７の途中にも送風機９（以下「第２の送風機９」ともいう。）が設けられている。外部空気導入管１７は、送風機９の運転により温室２外の空気をその上端の吸引口１７ａから吸引して、後述する第２地中管１８に導入する。
【００２６】
第２地中管１８は、略水平状態で、温室下の地中に複数埋設されている。各第２地中管１８は互いに平行に埋設されており、複数の第２地中管１８の上流端部に、直角方向に延在する上流側連通管２８が接続している。この上流側連通管２８には、外部空気導入管１７の下流端も接続している。また、複数の第２地中管１８の下流端部に、第２地中管１８に対して直角に延在する下流側連通管２９に接続している。この下流側連通管２９に後述する第２排気管１９が接続されている。本実施形態では、第２地中管１８にも、直径約１００ｍｍの管が使用され、図２に示すように、その埋設深さ（地面から管の最上部までの距離）は、７２０ｍｍとなっている。また、８本の第２地中管１３が均等に並設されている。
【００２７】
第１地中管１３と第２地中管１８は、上から視て互いに重ならないように交互に配置されている。さらに、第２地中管１８は、第１地中管１３より所定深さ（本実施形態では２００ｍｍ）深い位置に埋設されている。第１地中管１３と第２地中管１８が、このような位置関係にある理由は、日中、地中に熱エネルギーを蓄積し、夜間、その蓄積した熱エネルギーを回収する第１地中管１３に対して第２地中管１８が影響を及ぼさないようにするためである。また、第２地中管１８をより深い位置に埋設することで、地上の気温の影響を受けにくくするためでもある。これにより、夏季においては、外気が第２地中管１８を通過する際に冷却されて温室２内に導入され、冬季は、外気が第２地中管１８を通過する際に暖められて温室２内に導入されることが期待できる。
【００２８】
第２排気管１９は、下流側連通管２９に接続されており、その下流端部が温室２外の地面５上に露出している。これにより、第２地中管１８に導入された空気は、下流側連通管２９、第２排気管１９を通じて温室外へ排気可能となっている。
【００２９】
第２切替弁７は、電磁弁等で構成され、制御装置１１の命令にしたがって、第２地中管１８と上下連通管２６を連通する外気導入位置、又は、第２地中管１８と第２排気管１９を連通する排気位置の何れかに弁体の位置を切替えることができる。第２切替弁６の弁体が外気導入位置にあるとき、図３、図４に示すように、温室２外から温室下の地中を経由して温室２内に至る空気流路Ｂ（以下「第２空気流路Ｂ」ともいう。）が形成される。
【００３０】
水滴回収容器１０は、第１地中管１３内の結露により生じた水滴を回収し、温室２内に高湿度の空気が導入されることを防止する。すなわち、日中、温室２の上部の暖かい空気が第１地中管１３を通過して冷やされる際に発生する結露により生じた水滴が、第１地中管１３より低い位置に埋設され、第１地中管１３に配管を介して接続された水滴回収容器１０内に回収されるようになっている。また、第１地中管１３内の水滴を効率的に水滴回収容器１０に集めるため、第１地中管１３の水滴回収容器１０への接続部が最下位置となるように若干の勾配が形成されている。なお、大雨で地中が灌水した際に水ないし泥水が水滴回収容器１０から第１地中管１３側へ逆流することを防止するための逆止弁３２も備えている。
【００３１】
制御装置１１は、温室２内の所定位置に設置された温度センサ４により検出される温度、後述の運転モード、および時間帯に基づいて、送風機８，９および切替弁６，７を制御し、もって、空気の流路制御を実施する。本実施形態では、温度センサ４は、温室２内で、上部空気導入管１２の吸引口１２ａと同じ高さ位置に設置されている。制御装置１１には、モード選択操作部３１が設置されており、このモード選択操作部３１により、ユーザは、冬モード、春夏モード、全停止モードの３種類を選択することができる。
【００３２】
＜冬モード＞
先ず、モード選択操作部３１により、冬モードが選択されている場合について説明する。冬モードが選択されている場合、図３に示すように、ＡＭ７時に第２送風機９が自動的に運転を開始する。第１送風機８は、温室内の気温が２５℃未満の場合、運転を停止しており、温室２内の気温が上昇して２５℃以上になると、図４に示すように、運転を開始する。冬モードが選択されている場合、第１切替弁６の弁体は排気位置にあり、第２切替弁７の弁体は、外気導入位置にある。
【００３３】
このため、日中（本実施形態においては、ＡＭ７時〜ＰＭ７時を日中とし、ＰＭ７時〜ＡＭ７時を夜間とするが、本発明の適用に当たっては、日中、夜間の時間帯はこれに限定されるわけではない。）において、温室２内の気温が２５℃以上になる前は、図３に示すように、第２送風機９の運転により、第２空気流路Ｂのみが形成され、外気が第２地中管１８を経由して温室２内に導入される。日中は、温室内で育てる作物が光合成する際に水蒸気を排出するが、このように外気が導入されることで、温室２内の湿度が当該水蒸気によって過剰に高くなることが防止される。また、温室２内に導入される外気は、地中を通過する際に地中の熱によって暖められて温室２内に導入されるので、温室２内の温度が冬季の外気導入による影響を受けにくい。また、外気は、温室２の長手方向に沿って略水平に温室２内に配置された配屋内吹出管１６の下部に設けられた複数の排気孔１６ａから噴出して温室２内に導入されるので、温室２内に比較的乾燥した外気が広く行きわたるようになっている。
【００３４】
日中、温室２内の気温が上昇して２５℃以上になると、第１送風機８が自動的に運転を開始し、図４に示すように、第１空気流路Ａが形成され、温室２内の上部の暖かい空気が第１地中管１３を経由して温室２外へ排出される。これにより、温室２内の過剰な温度上昇が抑制されるとともに、第１地中管１３および地中に、夜間利用するための熱エネルギーが蓄積される。
【００３５】
その後日中において、温室２内の気温が低下して２０℃以下になった場合は、図５に示すように、第１送風機８が運転を停止し、第１空気流路Ａが消滅する。再び温室２内の気温が上昇して２５℃以上になった場合は、再び第１送風機８が運転を開始して第１空気流路Ａが形成される。これらの動作により、日中、温室２に必要な気温を確保しつつ、地中に熱エネルギーを蓄積することができる。
【００３６】
その後、夜間開始時（ＰＭ７時）には、第２送風機９が自動的に運転を停止し、温室２内の気温が１０℃より高い場合には、第１送風機８も運転を停止する。この場合、図６に示すように、空気の循環が全体的に停止する。
【００３７】
その後、夜間（ＰＭ７時からＡＭ７時）において、温室２内の気温が低下して１０℃以下になると、第１送風機８が自動的に運転を開始するとともに、第１切替弁６は内気循環位置に切替わり、第２切替弁７は、排気位置に切替わる。これにより、図７に示すように、第３空気流路Ｃが形成され、温室２内の空気が温室下の地中に埋設された第１地中管１３を通過して温室２内に還流する。第１地中管１３およびその近傍の地中には、日中、熱エネルギーが蓄積されているため、温室２内の空気は、第１地中管１３を通過する際に昇温して温室２内に還流し、温室２内の気温低下が抑制される。また、温室２内に還流する空気は、温室２の長手方向に沿って略水平に温室２内に配置された配屋内吹出管１６の下部に設けられた複数の排気孔１６ａから噴出して温室２内に還流されるので、温室２内に暖められた空気が広く行きわたり、併せて、日中、配屋内吹出管１６自体に蓄積された熱の輻射熱効果も期待できる。
【００３８】
また、温室２内の空気は、温室２外へ排気されず、温室２の内外で空気の出入りがないので、温室２内の炭酸ガス濃度が夜間を通して維持され、日中、作物が光合成するのに消費する炭酸ガスを補うことができる。
【００３９】
＜春夏モード＞
モード選択操作部３１により、春夏モードが選択されている場合、第１送風機８は運転せず、第２送風機９は、２４時間運転を実施する。この場合、第１切替弁６は、排気位置となり、第２切替弁７は、外気導入位置となる。これにより、図８に示すように、第２空気流路Ｂが形成され、外気は、第２地中管１８を通過する際に冷され、温室２内に外気よりも低温の空気が供給される。これにより、春夏季に、温室２内の気温が過度に上昇することが防止され、作業者の作業効率の上昇、熱中症の予防、高温に適しない作物の栽培などが期待できる。
【００４０】
＜全停止モード＞
モード選択操作部３１により、全停止モードが選択されている場合、第１送風機８および第２送風機９は、停止状態となる。また、第１切替弁６は、排気位置となり、第２切替弁７は、外気導入位置となる。この全停止モードは、通常、作物の栽培を行わない時期やメンテナンス時に選択される。
【００４１】
＜制御例＞
以下、第１送風機８、第２送風機９、第１切替弁６および第２切替弁７に対して制御装置１１が行う制御の一例を図９〜図１１のフローチャートに基づいて説明する。
【００４２】
先ず、図９に基づき第１送風機８について説明する。第１送風機８は、冬モード以外のモードが選択されている場合（ＳＴ１：ＮＯ）、停止状態となる（ＳＴ２）。冬モードが選択されており（ＳＴ１：ＹＥＳ）、かつ、日中（例えばＡＭ７時〜ＰＭ７時）の間は（ＳＴ３：ＹＥＳ）、温度センサ４により検出される温室２内の気温が２５℃以上の場合に（ＳＴ４：ＹＥＳ）、運転する（ＳＴ５）。一方、温室２内の気温が２０℃以下の場合（ＳＴ６：ＹＥＳ）、停止する（ＳＴ７）。温室２内の気温が２０℃超〜２５℃未満の場合（ＳＴ４：ＮＯ、ＳＴ６：ＮＯ）、運転状態又は停止状態を継続する（ＳＴ８）。
【００４３】
冬モードが選択されており（ＳＴ１：ＹＥＳ）、かつ、夜間（例えばＰＭ７時〜ＡＭ７時）の間は（ＳＴ３：ＮＯ）、温度センサ４により検出される温室２内の気温が１０℃以下の場合に（ＳＴ９：ＹＥＳ）運転し（ＳＴ１０）、同気温が１０℃超の場合（ＳＴ９：ＮＯ）、停止する（ＳＴ２）。
【００４４】
なお、前記ＳＴ４における２５℃、前記ＳＴ６における２０℃、前記ＳＴ９における１０℃、並びに、日中・夜間の時間帯は、制御用しきい値温度の一例であり、これらのしきい値温度および日中夜間の境界時刻は、作物の種類や温室の建設地域等に応じて適宜決められるべきものである。
【００４５】
つぎに、図１０に基づき第２送風機９について説明する。第２送風機９は、冬モードが選択されている場合（ＳＴ２１：ＹＥＳ）、日中（例えばＡＭ７時〜ＰＭ７時）の間は（ＳＴ２２：ＹＥＳ）、運転し（ＳＴ２３）、夜間（例えばＰＭ７時〜ＡＭ７時）の間は（ＳＴ２２：ＮＯ）、停止する（ＳＴ２４）。また、第２送風機９は、春夏モードが選択されている場合は（ＳＴ２１：ＮＯ、ＳＴ２５：ＹＥＳ）、２４時間運転を実施する（ＳＴ２６）。一方、第２送風機９は、全停止モードが選択されている場合は（ＳＴ２１：ＮＯ、ＳＴ２５：ＮＯ）、停止状態となる（ＳＴ２４）。
【００４６】
つぎに、図１１に基づき第１切替弁６および第２切替弁７について説明する。冬モードが選択されている場合（ＳＴ３１：ＹＥＳ）、日中（例えばＡＭ７時〜ＰＭ７時）の間は（ＳＴ３２：ＹＥＳ）、第１切替弁６は、排気位置となり、第２切替弁７は、外気導入位置となる（ＳＴ３３）。また、冬モード以外のモードが選択されている場合も（ＳＴ３１：ＮＯ）、第１切替弁６は、排気位置となり、第２切替弁７は、外気導入位置となる（ＳＴ３３）。
【００４７】
冬モードが選択されている場合（ＳＴ３１：ＹＥＳ）、夜間（例えばＰＭ７時〜ＡＭ７時）の間は（ＳＴ３２：ＮＯ）、温度センサ４により検出される温室２内の気温が１０℃以下の場合に（ＳＴ３４：ＹＥＳ）、第１切替弁６は、内気循環位置となり、第２切替弁７は、排気位置となる（ＳＴ３５）。一方、温度センサ４により検出される温室２内の気温が１０℃超の場合は（ＳＴ３４：ＮＯ）、第１切替弁６は、排気位置となり、第２切替弁７は、外気導入位置となる（ＳＴ３３）。
【符号の説明】
【００４８】
Ａ    第１空気流路
Ｂ    第２空気流路
Ｃ    第３空気流路
１    温室の空調システム
２    温室
３    配管類
４    温度センサ
６    第１切替弁（流路制御手段）
７    第２切替弁（流路制御手段）
８    第１送風機
９    第２送風機
１０  水滴回収容器
１１  制御装置（流路制御手段）
１３  第１地中管
１６  屋内吹出管
１６ａ  排気孔
１８  第２地中管
【図１】
2015142513.tif 000003
【図２】
2015142513.tif 000004
【図３】
2015142513.tif 000005
【図４】
2015142513.tif 000006
【図５】
2015142513.tif 000007
【図６】
2015142513.tif 000008
【図７】
2015142513.tif 000009
【図８】
2015142513.tif 000010
【図９】
2015142513.tif 000011
【図１０】
2015142513.tif 000012
【図１１】
2015142513.tif 000013